(57)【要約】【課題】複数配設されている通信ケーブルの両端部を容易且つ正確に判別することができる通信ケーブルを提供することを目的とする。【解決手段】通信ケーブルＡは、通信ケーブル１に隣接した位置にケーブル端判別部材１０を一体的に実装することで構成し、判別用ワイヤ部材２０のワイヤ部２５を中空円筒部１１の内部を移動自在に設けられた判別用ワイヤ部材２０の一端部に位置する摘み部３０を手動により引き出す操作を行なうことで、この通信ケーブルＡの一端側と対応する他端側の摘み部３０もワイヤ部２５の移動にともなって反応し、一端側に向けて移動を開始するため、これにより、ワイヤ部２５の移動状態を目視により確認することができる。【選択図】        図１
2008243616.tif 000002
【特許請求の範囲】
【請求項１】
通信端末機間を通信可能に接続する通信ケーブルであって、
前記通信ケーブルの両端を他の通信ケーブルとの間で判別するためのケーブル端判別部材を備え、
前記ケーブル端判別部材は、
前記通信ケーブルの長手方向に沿って、当該通信ケーブルの一端から他端にまで伸設されている中空円筒部材と、
前記中空円筒部材の一端から他端にまで内蔵され、一端が前記長手方向に沿ってスライドすると他端も目視可能に連動してスライドするように形成されているワイヤと、
を備えることを特徴とする通信ケーブル。
【請求項２】
前記中空円筒部材は、前記一端から他端に至る全てまたは一部が透明素材で形成されていることを特徴とする請求項１に記載の通信ケーブル。
【請求項３】
前記ワイヤは、単一色ではない模様が付されて形成されていることを特徴とする請求項１または２に記載の通信ケーブル。
【発明の詳細な説明】
【技術分野】
【０００１】
本発明は、通信端末機間を通信可能に接続する通信ケーブルに関し、特に、通信ケーブルの両端部の判別を正確に行なうことにより、複数の通信ケーブルを配線する場合の接続作業及び運用を良好に行なうことができる通信ケーブルに関するものである。
【背景技術】
【０００２】
従来から、屋内で使用する複数のパソコンなどの端末機を通信接続する通信用のケーブル（以下、「通信ケーブル」という）には、通信ＬＡＮ用のＵＴＰ（Unshielded Twist Pair）ケーブルなどが使用されている。ＵＴＰケーブルは、８本の銅線を組み合わせて構成されており、強度の確保や内部の銅線を保護するために強化ビニール等の素材で被服されている。
【０００３】
このような通信ケーブルでは、通信機器をＬＡＮ接続する場合に、複数の通信ケーブルの中から任意の通信ケーブルを特定することが必要となるため、図１０に示すように、通信ケーブルの被服部（強化ビニール素材）を所定の色に着色（例えば、赤色、青色、黒色）することで接続先（目的）や用途別に色分けしたり、通信ケーブルの先端部と後端部に接続先や用途（製造メーカや種別）などの札（NO．１、NO．２、NO．３）を取り付けることにより、同様の通信ケーブルが複数接続されている中から特定の通信ケーブル及び接続先の通信ケーブルの両端部を判別することが行なわれている。
【０００４】
また、この種の特定の通信ケーブルの両端部を判別する従来技術としては、通信ケーブルと一体化した発光体を点灯させる構造にしたり、通信ケーブルの内部に発光する液体を注入し、この発光液体により通信ケーブルの両端部を判別する通信ケーブルが知られている。
【０００５】
また、従来公報の技術としては、通信ケーブルの皮膜表面に均等間隔で判別マークを熱転写などで印刷することで、複数の通信ケーブルを束ねて(若しくは同一パイプ内で)使用しても、それぞれの両端部を判別することができる通信ケーブルの構造が開示されている（例えば、特許文献１）。
【０００６】
【特許文献１】実開平６−５０３１号公報
【発明の開示】
【発明が解決しようとする課題】
【０００７】
ところが、上述した従来例として説明した通信ケーブルの場合、以下のような問題が生じる。すなわち、通信ケーブルと一体化した発光体を点灯させる構造の場合には、通信ケーブルの通信信号線に悪影響を与える可能性があるうえ、コストが嵩むという問題がある。また、通信ケーブルの内部に発光する液体を注入する構造では、液漏れが発生するなどの問題があり通信端末機などへの利用には適さない。
【０００８】
また、通信ケーブルの先端部と後端部に接続先や用途（製造メーカや種別）を示す札を取り付ける場合には、番号などが印刷されている札の取り付け先を間違えたりするなどの恐れがあるうえ、両端が目視できない距離に配線されている場合などでは、同一種類のケーブルから指定の通信ケーブルを特定するには配線経路を全て確認する必要が生じるなど作業性や運用面で問題がある。
【０００９】
また、通信ケーブルの被服部（強化ビニール素材）を所定の色に着色する通信ケーブルの構造の場合、色分けにより接続先（目的）や用途別に判別することが可能となるが、この場合、通信ケーブルの色分け（着色）を１２色程用意する必要があり、さらに、経年変化で変色することを考慮すると２４色のケーブルを用途別に製造する必要があるなど製造工程やコストの点で問題がある。
【００１０】
また、通信ケーブルを製造する際に、通信ケーブルの被服表面に一定間隔で識別番号を印字することで、用途に応じた通信ケーブルを判別する方法などが提案されているが、この場合、判別用として印字した識別番号を判別するのに時間が掛かるという問題がある。
【００１１】
また、このような通信ケーブルに使用されるＵＴＰケーブルは、内部に設ける銅線のよりを並行にして断面形状を円形から平面（フラット）とするケーブル構造を有するものもあり、このフラット型のＵＴＰケーブルに対して、接続先や用途を示す札を取り付ける方法では、取り付け箇所がないなどの問題があり、さらに、識別番号を印字する場合にも印字する場所がないなどの問題がある。
【００１２】
また、上述した従来技術として、開示された公知例（特許文献１）の場合には、製造する全ての通信ケーブルに対して、所定の間隔で判別マークを割り振る必要性が生じるうえ、通信ケーブルを切断して使用することなどを考慮すると、判別マークの印刷間隔をできるだけ狭く設定するなど製造工程が複雑化するとともに、印刷コストが嵩むという問題がある。
【００１３】
そこで、この発明は、上述した従来技術の課題を解決するためになされたものであり、通信ケーブルの両端部を容易且つ正確に判別することができるとともに、製造工程が複雑化することなくコストが嵩むことがない通信ケーブルを提供することを目的とする。
【課題を解決するための手段】
【００１４】
上述した課題を解決し、目的を達成するため、請求項１に記載の発明は、通信端末機間を通信可能に接続する通信ケーブルであって、前記通信ケーブルの両端を他の通信ケーブルとの間で判別するためのケーブル端判別部材を備え、前記ケーブル端判別部材は、前記通信ケーブルの長手方向に沿って、当該通信ケーブルの一端から他端にまで伸設されているる中空円筒部材と、前記中空円筒部材の一端から他端にまで内蔵され、一端が前記長手方向に沿ってスライドすると他端も目視可能に連動してスライドするように形成されているワイヤと、を備えることを特徴とする。
【００１５】
また、請求項２に記載の発明は、上記発明において、前記中空円筒部材は、前記一端から他端に至る全てまたは一部が透明素材で形成されていることを特徴とする。
【００１６】
また、請求項３に記載の発明は、前記ワイヤは、単一色ではない模様が付されて形成されていることを特徴とする。
【発明の効果】
【００１７】
請求項１の発明によれば、通信ケーブルは、当該通信ケーブルの両端を他の通信ケーブルとの間で判別するためのケーブル端判別部材を備え、当該ケーブル端判別部材は、通信ケーブルの長手方向に沿って、通信ケーブルの一端から他端にまで伸設されているる中空円筒部材と、中空円筒部材の一端から他端にまで内蔵され、一端が長手方向に沿ってスライドすると他端も目視可能に連動してスライドするように形成されているワイヤとを備えているので、通信ケーブルの両端を判別する場合に、ワイヤの一端側を動作させ、この動作により反応する他端側のワイヤの移動状態を目視により確認することができ、これによって、通信ケーブルの一端側と対応する他端側の特定を容易且つ正確に行なうことができる。
【００１８】
請求項２の発明によれば、中空円筒部材の構成は、一端から他端に至る全てまたは一部が透明素材で形成されているので、ケーブル端判別部材であるワイヤの移動を目視により容易且つ確実に確認することができる。
【００１９】
また、請求項３の発明によれば、ワイヤは、単一色ではない模様が付されて形成されているので、ワイヤの移動状態を目視により容易且つ正確に確認することができ、これによって、通信ケーブルの両端部の判別を容易且つ正確に行なうことができる。また、配線途中のケーブルの両端部も複数同様のケーブルが束ねられた中から特定することが可能になる。
【発明を実施するための最良の形態】
【００２０】
以下に添付図面を参照して、この発明に係る通信ケーブルの好適な実施例を詳細に説明する。ここで、図１の上の図は、本発明の実施例１に係る通信ケーブルＡによる通信ケーブルの全体構成を示す側面図である。また、図１の下の図は、通信ケーブルＡによる通信ケーブルの内部を示す縦断面図である。なお、以下に示す実施例１によりこの発明が限定されるものではない。
【実施例１】
【００２１】
ここで、本実施例１に係る通信ケーブルＡは、通信ケーブルＡの長手方向に沿って当該通信ケーブルの一端（図１の左側）から他端（図１の右側）にまで伸設され、一端が長手方向(図１の左側から右側)に沿ってスライドすると他端も目視可能に連動してスライドするケーブル端判別部材１０を備えたことに特徴がある。このため、以下の説明では、ケーブル端判別部材１０の構成及び特徴部分を中心に説明する。
【００２２】
図１に示すように、通信ケーブル１は、複数（８芯）の銅より線からなる金属芯部２の外方を絶縁ビニールなどの外部皮膜３で覆うことにより構成されている。また、本実施例１における通信ケーブルＡは、図１に示す通信ケーブル１に隣接(図１の右側)して付設されたケーブル端判別部材１０を備えており、このケーブル端判別部材１０と通信ケーブル１とを透明素材により形成された外部皮膜４により、これら通信ケーブル１及びケーブル端判別部材１０の周囲を覆うことで一体的に構成されている。
【００２３】
ケーブル端判別部材１０は、通信ケーブル１の長さとほぼ同一の長さを有する長尺円筒状に形成された内部皮膜として形成された中空円筒部１１と、この中空円筒部１１の内側に形成された通孔１２の内部を挿通するように設けられた判別用ワイヤ部材２０とから構成されている。この判別用ワイヤ部材２０のワイヤ部２５には、強度を有するとともに、しなやかな曲げ特性を有する金属糸などを使用する。また、同図に示すように、中空円筒部１１は、透明素材により形成されており、これにより、中空円筒部１１の内部で、通信ケーブル１の長手方向に沿って移動する判別用ワイヤ部材２０を目視により移動状態（動作）を確認することができる。
【００２４】
また、同図に示すように、この判別用ワイヤ部材２０を構成するワイヤ部２５は、この判別用ワイヤ部材２０の両端部が中空円筒部１１の外部から露出する程度の長さ寸法に形成されるとともに、その両端部には、一対の摘み部３０、３０がそれぞれ取り付けられている。すなわち、この判別用ワイヤ部材２０は、この判別用ワイヤ部材２０の両端に設けられた摘み部３０の何れか一方を手動により動かすことで、中空円筒部１１の内部をａ方向或いは、ｂ方向に移動可能とする構成となっている。
【００２５】
また、このワイヤ部２５は、単一色ではなく所定の模様（例えば、ゼブラ模様）が印刷などにより施されているため、通信ケーブルＡの両端部の位置だけではなく、この通信ケーブルＡの別の部位（例えば、中央位置）においても、判別用ワイヤ部材２０が中空円筒部１１の内部を移動した時に、この判別用ワイヤ部材２０を構成するワイヤ部２５が移動する状態を目視により容易に確認できる構造となっている。
【００２６】
具体的に説明すると、判別用ワイヤ部材２０のワイヤ部２５の一端部（図１の左側）に設けた摘み部３０をａ方向に引くことにより、中空円筒部１１の内部に挿通されている判別用ワイヤ部材２０のワイヤ部２５も同じくａ方向に移動するため、このワイヤ部２５の他端部（図１の右側）に設けた摘み部３０もａ方向に追従して移動することとなる。
【００２７】
すなわち、このように、判別用ワイヤ部材２０のワイヤ部２５を所定の方向（本例では、ａ方向）に移動させることにより、このワイヤ部２５の移動が連動して伝わり、通信ケーブルの一端部が移動した状態を他端部で認識することができ、このワイヤ部２５の他端部（図１の右側）が反応することで目視により通信ケーブルＡの両端を正確に判別することができる。これによって、通信ケーブルＡの両端を他の通信ケーブルとの間で判別することができるとともに、複数ある同様の通信ケーブルから指定した通信ケーブルの両端部を判別することができる。
【００２８】
[ケーブル端判別部材１０によるケーブル端判別方法]
図２は、本実施例１におけるケーブル端判別部材１０を使用して通信ケーブルの両端を判別する方法の一例を説明する説明図である。以下の説明では、複数の通信ケーブルの中から指定した通信ケーブルの両端部（一端部及び他端部）を判別する手順について説明する。ここで、図２の上の図は、ケーブル端判別部材１０の動作前の図を、下の図は、ケーブル端判別部材１０を動作させた時の図をそれぞれ示している。
【００２９】
すなわち、先ず、図２に示すように、３つの同形状の通信ケーブル１´が敷設された状態で、例えば、一番下に位置する通信ケーブル１´の両端部を判別する場合、通信ケーブル１´の左側の摘み部３０を手動により手前側（図２のａ方向）に引き出す操作を行なう。これにより、３つの通信ケーブル１´の内、通信ケーブル１´の判別用ワイヤ部材２０のワイヤ部２５が、左側の摘み部３０の移動方向と同じ手前側（図２のａ方向）に追従して移動するため、このワイヤ部２５の移動にともなって、ワイヤ部２５の他端部（図２の右側）に取り付けられた摘み部３０もａ方向に移動を開始するため、この摘み部３０の反応状態により複数の通信ケーブル１´の中から通信ケーブル１´の他端部（図２の右側）を特定を容易且つ正確に行なうことができる。
【００３０】
図３は、通信ケーブルＡの全長が長く配線の途中経路が目視できない場合を示している。この図３に示すように、通信ケーブルＡの配線ラインの全てや一部が障害物等で、この通信ケーブルＡの途中経路が目視できない状況においても、本実施例１で示したケーブル端判別部材１０を使用することにより、左側の摘み部３０をａ方向に引き出す操作を行なうと、障害物の間に位置する判別用ワイヤ部材２０のワイヤ部２５の模様（ゼブラ模様）の移動を目視により確認することができ、これによって、この判別用ワイヤ部材２０が移動したことの確認により、通信ケーブルＡの一端側（図３の左側）で操作した動きを、判別用ワイヤ部材２０のワイヤ部２５の移動にともなって追従する他端側（図３の右側）の反応で確認することができる。
【００３１】
図４は、通信ケーブルの全長が長く障害物などにより、同じ種類の通信ケーブルが複数本配線され途中経路が目視できない場合を示している。この図４に示すように、全長が長い通信ケーブルが複数本配線され、さらに、通信ケーブルの途中経路が目視できない状況においても、本実施例１で示したケーブル端判別部材１０を使用することにより、通信ケーブルＡの一端側（図４の左側）と対応する他端側（図４の右側）を特定することができる。
【００３２】
具体的に説明すると、複数の通信ケーブルの中から例えば、通信ケーブルＡの他端側を特定したい場合、この通信ケーブルＡの一端側の摘み部３０(図３参照)を引き出す操作を行なうことにより、複数の通信ケーブルの中から、この通信ケーブルＡの他端側に該当する摘み部３０も判別用ワイヤ部材２０のワイヤ部２５の移動にともなってａ方向に追従して移動する。これにより、この通信ケーブルＡの一端側と対応する他端側を特定することができる。すなわち、配線途中の通信ケーブルＡも複数の同様の通信ケーブルが束ねられた中から特定することが可能になる。
【００３３】
以上説明したように、本実施例１に係る通信ケーブルによれば、通信ケーブルＡは、当該通信ケーブルＡの両端を他の通信ケーブルとの間で判別するためのケーブル端判別部材を備え、当該ケーブル端判別部材は、通信ケーブルＡの長手方向に沿って、通信ケーブルＡの一端から他端にまで伸設されている中空円筒部１１と、中空円筒部１１の一端から他端にまで内蔵され、一端が長手方向に沿ってスライドすると他端も目視可能に連動してスライドするように形成されているワイヤ部２５とを備えているので、ワイヤ部２５の一端側に位置する摘み部３０を所定の方向に移動させることにより、このワイヤ部２５一端側と対向する他端側に位置する摘み部３０は、ワイヤ部２５の移動にともなって反応し、一端側に向けて移動を開始するため、これにより、ワイヤ部２５の移動状態を目視により確認することができ、この結果、通信ケーブルＡの両端部を容易且つ正確に判別することができる。
【実施例２】
【００３４】
図５は、実施例２に係る通信ケーブルＢの構造を示している。本実施例２では、一般的なＵＴＰケーブルとして構成された通信ケーブル１ａの両端部にコネクタ５が固設されている通信ケーブルＢの構成を示している。同図に示すように、本実施例２において、ケーブル端判別部材１０ａは、通信ケーブル１ａの外方部（図５の上側）に固設されており、このケーブル端判別部材１０ａを構成する判別用ワイヤ部材２０のワイヤ部２５の両端部は、中空円筒部１１の両端部から所定の長さ分だけ露出する状態となっている。また、この中空円筒部１１の長さＬ′は、この中空円筒部１１が通信ケーブル１の両端部に設けられたコネクタ５と干渉したり接触しないように、通信ケーブル１の長さＬよりも短い長さ（長さＬ′＜長さＬ）となるように選定されている。
【００３５】
本実施例２の通信ケーブルＢに示すように、一般的なＵＴＰケーブルとして構成された通信ケーブル１ａの両端部にコネクタ５が配設されている場合でも、ケーブル端判別部材１０ａに設けたワイヤ部２５の摘み部３０を、手動により一端側（図５の左側）に向けて引き出す操作を行なうことにより、他端側（図５の右側）の摘み部３０がワイヤ部２５の移動に追従して反応（移動）するため、これによって、通信ケーブル１ａの両端部に設けたコネクタ５と干渉することなく、この通信ケーブルＢの一端側と対応する他端側の特定を容易且つ正確に行なうことができる。
【００３６】
ここで、ケーブル端判別部材１０ａは、通信ケーブル１の外方（図５の上側）に設け、露出させる構成としているが、実施例１の通信ケーブルと同様に、外部皮膜４により、通信ケーブル１ａとともに全体を被服する構造としてもよい。
【実施例３】
【００３７】
図６は、実施例３に係る通信ケーブルＣの構造を示している。本実施例３では、フラット型の通信ケーブル１ｂを有する通信ケーブルＣの構成を示している。同図に示すように、本実施例３において、ケーブル端判別部材１０ｂは、フラット型の通信ケーブル１ｂの片側位置(図６の右側)に設けられており、前述した実施例２と同様に、このケーブル端判別部材１０ｂを構成する判別用ワイヤ部材２０のワイヤ部２５の両端部は、中空円筒部１１の両端部から所定の長さ分だけ露出する状態となっている。
【００３８】
本実施例３の通信ケーブルＣに示すように、通信ケーブル１ｂがフラット型の場合でも、ケーブル端判別部材１０ｂに設けたワイヤ部２５の摘み部３０（図５）を一端側の左側）に向けて引き出す操作を行なうことにより、他端側の摘み部３０がワイヤ部２５の移動に追従して反応（移動）するため、これによって、この通信ケーブルＣの一端側と対応する他端側の特定を容易且つ正確に行なうことができる。従って、従来では、フラット型の通信ケーブルに適用できなかった通信ケーブルの両端部を容易に判別することができる。
【実施例４】
【００３９】
図７は、実施例４に係る通信ケーブルＤの構造を示している。本実施例４では、フラット型の通信ケーブル１ｃの両端部にコネクタ５が固設されている構成を示している。同図に示すように、本実施例４において、通信ケーブルＤのケーブル端判別部材１０ｃは、通信ケーブル１ｃの外方に設けられており、このケーブル端判別部材１０ｃを構成するワイヤ部２５の両端部は、中空円筒部１１の両端部から露出する構成となっている。また、実施例２と同様に中空円筒部１１の長さＬ′は、この中空円筒部１１が通信ケーブル１ｃの両端部に設けたコネクタ５と接触しないように、通信ケーブル１ｃの長さ寸法Ｌよりも短い長さとなるように選定されている。
【００４０】
本実施例４の通信ケーブルＤに示すように、フラット型のＵＴＰケーブルとして構成された通信ケーブル１ｃの両端部にコネクタ５が配設されている場合でも、ケーブル端判別部材１０ｃを構成する判別用ワイヤ部材２０のワイヤ部２５の摘み部３０を、手動により一端側（図７の左側）に向けて引き出す操作を行なうことにより、他端側（図７の右側）の摘み部３０がワイヤ部２５の移動に追従して反応（移動）するため、これによって、通信ケーブル１ｃの両端部に設けたコネクタ５と干渉することなく、この通信ケーブルＤの一端側と対応する他端側の特定を容易且つ正確に行なうことができる。
【実施例５】
【００４１】
図８は、実施例５に係る通信ケーブルＥを示している。本実施例５では、フラット型の通信ケーブル１ｄのほぼ中央部にケーブル端判別部材１０ｄを設けている構成を示している。同図に示すように、本実施例５において、通信ケーブルＥのケーブル端判別部材１０ｄは、通信ケーブル１ｄのほぼ中央部に設けられている。なお、前述した実施例と同様に、このケーブル端判別部材１０ｄを構成するワイヤ部２５の両端部は、中空円筒部１１の両端部から露出する状態となっている。
【００４２】
本実施例５の通信ケーブルＥに示すように、フラット型のＵＴＰケーブルとして構成された通信ケーブル１ｄのほぼ中央部にケーブル端判別部材１０ｄが配設されている場合でも、ケーブル端判別部材１０ｄを構成する判別用ワイヤ部材２０のワイヤ部２５の摘み部３０を手動により一端側(図８の左側)に向けて引き出す操作を行なうことにより、他端側(図８の右側)の摘み部３０がワイヤ部２５の移動に追従して反応（移動）するため、これによって、この通信ケーブルＥの一端側と対応する他端側の特定を容易且つ正確に行なうことができる。
【実施例６】
【００４３】
図９は、実施例６に係る通信ケーブルＦを示している。本実施例６では、フラット型の通信ケーブル１eの内方にケーブル端判別部材１０eを設けている構成を示している。なお、前述した各実施例１〜５と同様に、このケーブル端判別部材１０eを構成するワイヤ部２５の両端部は、中空円筒部１１の両端部から露出する状態となっている。
【００４４】
本実施例６の通信ケーブルＦに示すように、フラット型のＵＴＰケーブルとして構成された通信ケーブル１eの内方にケーブル端判別部材１０eが配設されている場合でも、ケーブル端判別部材１０eを構成する判別用ワイヤ部材２０のワイヤ部２５の摘み部３０を、手動により一端側(図９の左側)に向けて引き出す操作を行なうことにより、他端側(図９の右側)の摘み部３０がワイヤ部２５の移動に追従して反応（移動）するため、これによって、この通信ケーブルＦの一端側と対応する他端側の特定を容易且つ正確に行なうことができる。また、前述した実施例２、４と同様に、このケーブル端判別部材１０eの中空円筒部１１は、通信ケーブル１eの両端部に設けたコネクタ５と干渉しないように配設されている。
【００４５】
（付記１）通信端末機間を通信可能に接続する通信ケーブルであって、
前記通信ケーブルの両端を他の通信ケーブルとの間で判別するためのケーブル端判別部材を備え、
前記ケーブル端判別部材は、
前記通信ケーブルの長手方向に沿って、当該通信ケーブルの一端から他端にまで伸設されている中空円筒部材と、
前記中空円筒部材の一端から他端にまで内蔵され、一端が前記長手方向に沿ってスライドすると他端も目視可能に連動してスライドするように形成されているワイヤと、
を備えることを特徴とする通信ケーブル。
【００４６】
（付記２）前記中空円筒部材は、前記一端から他端に至る全てまたは一部が透明素材で形成されていることを特徴とする付記１に記載の通信ケーブル。
【００４７】
（付記３）前記ワイヤは、単一色ではない模様が付されて形成されていることを特徴とする付記１または２に記載の通信ケーブル。
【００４８】
（付記４）通信端末機間を通信可能に接続する通信ケーブルであって、
前記通信ケーブルの長手方向に沿って当該通信ケーブルの一端から他端にまで伸設され、一端が前記長手方向に沿ってスライドすると他端も目視可能に連動してスライドする判別部材を備えたことを特徴とする通信ケーブル。
【００４９】
以上のように、本発明に係る通信ケーブルは、複数敷設されている通信ケーブルの両端部を容易且つ正確に判別することができる通信ケーブルに有用である。
【図面の簡単な説明】
【００５０】
【図１】実施例１に係る通信ケーブルの構成を示す側面図と縦断面図である。
【図２】実施例１に係る通信ケーブルの両端判別方法を説明する説明図である。
【図３】実施例１に係る通信ケーブルに障害物がある場合を示す説明図である。
【図４】実施例１に係る複数の通信ケーブルに障害物がある場合を示す説明図である。
【図５】実施例２に係る通信ケーブルを示す側面図である。
【図６】実施例３に係る通信ケーブルを示す縦断面図である。
【図７】実施例４に係る通信ケーブルを示す側面図である。
【図８】実施例５に係る通信ケーブルを示す縦断面図である。
【図９】実施例６に係る通信ケーブルを示す側面図である。
【図１０】従来の通信ケーブルによる両端判別方法を説明する説明図である。
【符号の説明】
【００５１】
１、１´、１ａ、１ｂ、１ｃ、１ｄ、１ｅ  通信ケーブル
Ａ、Ｂ、Ｃ、Ｄ、Ｅ、Ｆ  通信ケーブル
２  金属芯部
３、４  外部皮膜
５  コネクタ
１０、１０ａ、１０ｂ、１０ｃ、１０ｄ、１０ｅ  ケーブル端判別部材
１１  中空円筒部
１２  通孔
２０  判別用ワイヤ部材
２５  ワイヤ部
３０  摘み部
【図１】
2008243616.tif 000003
【図２】
2008243616.tif 000004
【図３】
2008243616.tif 000005
【図４】
2008243616.tif 000006
【図５】
2008243616.tif 000007
【図６】
2008243616.tif 000008
【図７】
2008243616.tif 000009
【図８】
2008243616.tif 000010
【図９】
2008243616.tif 000011
【図１０】
2008243616.tif 000012